(57)【要約】【課題】多数のユーザが所定のランドマークへ向けて移動する移動状況を迅速且つ的確に分析する。【解決手段】情報分析装置は、セクタごとの在圏情報（在圏する移動機数）と所定算出ルールに基づき、セクタあたりの人口概算値を算出する第１の人口概算値算出手段と、セクタあたりの人口概算値から、メッシュ状の区画ごとの人口概算値を、セクタと区画との位置関係に基づき算出する第２の人口概算値算出手段と、各区画の中心位置情報及び対象となるランドマークの位置情報に基づき各区画の中心位置と最近傍ランドマークとの距離を算出する距離算出手段と、算出された距離及び人口概算値に相関する対応優先度を各区画について算出する対応優先度算出手段と、算出された対応優先度が所定閾値を超えている区画を対応優先地域として抽出する抽出手段と、少なくとも対応優先地域を示す地図を出力する出力手段と、を備える。【選択図】図２
2011086053.tif 000002
【特許請求の範囲】
【請求項１】
セクタごとの在圏情報として得られる前記セクタごとに在圏する移動機数と所定の算出ルールとに基づき、前記セクタあたりの人口概算値を算出する第１の人口概算値算出手段と、
前記セクタあたりの人口概算値から、所定の区画分け規則に基づき区画分けされた区画ごとの人口概算値を、前記セクタと前記区画との位置関係に基づいて算出する第２の人口概算値算出手段と、
前記区画分け規則に基づき求められる各区画の中心位置情報および１つ以上の対象となるランドマークの位置情報に基づいて、各区画の中心位置と該区画の最近傍のランドマークとの距離を算出する距離算出手段と、
算出された前記距離および算出された前記人口概算値に相関する対応優先度を、各区画について算出する対応優先度算出手段と、
算出された対応優先度が所定の閾値を超えている区画を、対応優先地域として抽出する抽出手段と、
少なくとも前記抽出された対応優先地域を示す地図を出力する出力手段と、
を備える情報分析装置。
【請求項２】
前記対応優先度算出手段は、前記対応優先度として、前記距離と前記人口概算値との積を算出することを特徴とする請求項１に記載の情報分析装置。
【請求項３】
前記対象となるランドマークは、避難所であることを特徴とする請求項１又は２に記載の情報分析装置。
【請求項４】
前記対象となるランドマークは、医療機関であることを特徴とする請求項１又は２に記載の情報分析装置。
【請求項５】
前記出力手段は、前記対応優先地域に加え、当該対応優先地域の最近傍のランドマークの位置、を示す地図を出力することを特徴とする請求項１〜４の何れか１項に記載の情報分析装置。
【請求項６】
情報分析装置により実行される情報分析方法であって、
セクタごとの在圏情報として得られる前記セクタごとに在圏する移動機数と所定の算出ルールとに基づき、前記セクタあたりの人口概算値を算出する第１の人口概算値算出ステップと、
前記セクタあたりの人口概算値から、所定の区画分け規則に基づき区画分けされた区画ごとの人口概算値を、前記セクタと前記区画との位置関係に基づいて算出する第２の人口概算値算出ステップと、
前記区画分け規則に基づき求められる各区画の中心位置情報および１つ以上の対象となるランドマークの位置情報に基づいて、各区画の中心位置と該区画の最近傍のランドマークとの距離を算出する距離算出ステップと、
算出された前記距離および算出された前記人口概算値に相関する対応優先度を、各区画について算出する対応優先度算出ステップと、
算出された対応優先度が所定の閾値を超えている区画を、対応優先地域として抽出する抽出ステップと、
少なくとも前記抽出された対応優先地域を示す地図を出力する出力ステップと、
を備える情報分析方法。
【請求項７】
前記情報分析方法は、
前記情報分析装置によって所定時間ごとに実行されることを特徴とする請求項６に記載の情報分析方法。
【発明の詳細な説明】
【技術分野】
【０００１】
本発明は、ユーザが携帯する移動機の在圏情報に基づき、所定のランドマーク（避難所、医療機関など）への多数のユーザの移動状況の分析を行う情報分析装置および情報分析方法に関する。
【背景技術】
【０００２】
災害時の避難に事前に備えるべく、道路の位置、避難所の位置、避難経路、避難時の移動速度、通常時の人口分布および避難開始時刻といったさまざまな情報に基づいて、災害時の避難状況を予測する技術が特許文献１に提案されている。
【先行技術文献】
【特許文献】
【０００３】
【特許文献１】特開２００９−３１４６１号公報
【特許文献２】再公表２００７−１８３０５号公報
【発明の概要】
【発明が解決しようとする課題】
【０００４】
ところが、災害対策としては、災害時の避難状況を予測するだけでは十分ではなく、実際に災害が発生したときの避難状況（避難実態）を迅速且つ的確に分析することも非常に重要である。
【０００５】
しかし、従来は、上記のように災害時の避難状況を予測する技術や、個別ユーザ向けに避難経路を算出し通知する技術（特許文献２参照）は、数多く提案されているものの、災害時の避難状況を分析するための技術は殆ど提案されておらず、かかる技術は強く待望されていた。また、かかる技術を広く応用して、多数のユーザが所定のランドマーク（例えば医療機関など）へ向けて移動する移動状況を分析するための技術も強く待望されていた。
【課題を解決するための手段】
【０００６】
本発明は、上記課題を解決するために成されたものであり、多数のユーザが避難所等の所定のランドマークへ向けて移動する移動状況を迅速且つ的確に分析することを目的とする。
【０００７】
本発明に係る情報分析装置は、セクタごとの在圏情報として得られる前記セクタごとに在圏する移動機数と所定の算出ルールとに基づき、前記セクタあたりの人口概算値を算出する第１の人口概算値算出手段と、前記セクタあたりの人口概算値から、所定の区画分け規則に基づき区画分けされた区画ごとの人口概算値を、前記セクタと前記区画との位置関係に基づいて算出する第２の人口概算値算出手段と、前記区画分け規則に基づき求められる各区画の中心位置情報および１つ以上の対象となるランドマークの位置情報に基づいて、各区画の中心位置と該区画の最近傍のランドマークとの距離を算出する距離算出手段と、算出された前記距離および算出された前記人口概算値に相関する対応優先度を、各区画について算出する対応優先度算出手段と、算出された対応優先度が所定の閾値を超えている区画を、対応優先地域として抽出する抽出手段と、少なくとも前記抽出された対応優先地域を示す地図を出力する出力手段と、を備えることを特徴とする。
【０００８】
上記の情報分析装置では、第１の人口概算値算出手段が、セクタごとの在圏情報として得られるセクタごとに在圏する移動機数と所定の算出ルールとに基づき、セクタあたりの人口概算値を算出し、第２の人口概算値算出手段が、セクタあたりの人口概算値から、所定の区画分け規則に基づき区画分けされた区画ごとの人口概算値を、セクタと区画との位置関係に基づいて算出する。そして、距離算出手段が、区画分け規則に基づき求められる各区画の中心位置情報および１つ以上の対象となるランドマークの位置情報に基づいて、各区画の中心位置と該区画の最近傍のランドマークとの距離を算出し、対応優先度算出手段が、算出された距離および算出された人口概算値に相関する対応優先度を各区画について算出する。さらに、抽出手段が、算出された対応優先度が所定の閾値を超えている区画を対応優先地域として抽出し、出力手段が、少なくとも前記抽出された対応優先地域を示す地図を出力する。このように、本発明に係る情報分析装置によれば、ほぼリアルタイムに得ることが可能なセクタごとの在圏情報を基礎として、最近傍のランドマークへの移動が相対的に難しい区画（対応優先地域）を抽出し、少なくとも当該抽出された対応優先地域を示す地図を出力することができる。これにより、所定のランドマークへ向けて移動する多数のユーザに関する移動状況を迅速且つ的確に分析することができる。
【０００９】
なお、対応優先度算出手段は、対応優先度として、距離と人口概算値との積を算出することが望ましい。また、対象となるランドマークは、避難所であってもよいし、医療機関であってもよい。
【００１０】
また、出力手段は、対応優先地域に加え、当該対応優先地域の最近傍のランドマークの位置、を示す地図を出力することが望ましい。この場合、対応優先地域の最近傍のランドマークの位置と対比しながら、多数のユーザに関する移動状況をより的確に分析することができる。
【００１１】
なお、情報分析装置に係る発明は、情報分析方法に係る発明として捉えることができ、以下のように記述することができる。情報分析方法に係る発明も、同様の作用・効果を奏する。
【００１２】
本発明に係る情報分析方法は、情報分析装置により実行される情報分析方法であって、セクタごとの在圏情報として得られる前記セクタごとに在圏する移動機数と所定の算出ルールとに基づき、前記セクタあたりの人口概算値を算出する第１の人口概算値算出ステップと、前記セクタあたりの人口概算値から、所定の区画分け規則に基づき区画分けされた区画ごとの人口概算値を、前記セクタと前記区画との位置関係に基づいて算出する第２の人口概算値算出ステップと、前記区画分け規則に基づき求められる各区画の中心位置情報および１つ以上の対象となるランドマークの位置情報に基づいて、各区画の中心位置と該区画の最近傍のランドマークとの距離を算出する距離算出ステップと、算出された前記距離および算出された前記人口概算値に相関する対応優先度を、各区画について算出する対応優先度算出ステップと、算出された対応優先度が所定の閾値を超えている区画を、対応優先地域として抽出する抽出ステップと、少なくとも前記抽出された対応優先地域を示す地図を出力する出力ステップと、を備えることを特徴とする。
【００１３】
また、上記の情報分析方法は、情報分析装置によって所定時間ごとに実行されることが望ましい。これにより、多数のユーザに関する移動状況の時系列的な変化を把握することが可能となる。
【発明の効果】
【００１４】
本発明によれば、ほぼリアルタイムに得ることが可能なセクタごとの在圏情報を基礎として、最近傍のランドマークへの移動が相対的に難しい区画（対応優先地域）を抽出し、少なくとも当該抽出された対応優先地域を示す地図を出力することができるため、所定のランドマークへ向けて移動する多数のユーザに関する移動状況を迅速且つ的確に分析することができる。
【図面の簡単な説明】
【００１５】
【図１】本実施形態の通信システムのシステム構成図である。
【図２】本実施形態の情報分析装置の機能ブロック構成図である。
【図３】情報分析処理を示すフローチャートである。
【図４】メッシュあたりの人口概算値算出処理を示すフローチャートである。
【図５】距離算出処理を示すフローチャートである。
【図６】メッシュデータとボロノイ図の合成を説明するための図である。
【図７】各分割ボロノイの面積および面積比の算出を説明するための図である。
【図８】あるメッシュ内の分割ボロノイの人口概算値の総和算出を説明するための図である。
【図９】距離算出処理を説明するための図である。
【図１０】出力される地図の一例を示す図である。
【図１１】トラヒックデータ、基地局データおよびランドマークデータそれぞれの構成例を示す図である。
【図１２】メッシュデータの構成例を示す図である。
【発明を実施するための形態】
【００１６】
添付図面を参照しながら本発明の実施形態を説明する。可能な場合には、同一の部分には同一の符号を付して、重複する説明を省略する。
【００１７】
［通信システムの構成］
図１は、本実施形態の通信システム１０のシステム構成図である。図１に示すように、この通信システム１０は、移動機１００、ＢＴＳ（基地局）２００、ＲＮＣ（無線制御装置）３００、交換機４００、各種処理ノード７００、および管理センタ５００を含んで構成されている。また、この管理センタ５００は、社会センサユニット５０１、ペタマイニングユニット５０２、モバイルデモグラフィユニット５０３、および可視化ソリューションユニット５０４から構成されている。
【００１８】
交換機４００は、ＢＴＳ２００およびＲＮＣ３００を介して、移動機１００の位置情報を収集する。ＲＮＣ３００は、移動機１００との間で通信接続が行われる際に、ＲＲＣコネクション要求信号における遅延値を用いて移動機１００の位置を測定することができる。交換機４００は、このように測定された移動機１００の位置情報を、移動機１００が通信接続を実行する際に受け取ることができる。交換機４００は受け取った位置情報を記憶しておき、所定のタイミング、または管理センタ５００からの要求に応じて収集した位置情報を管理センタ５００に出力する。ここで、一般的に、ＲＮＣ３００は、約千個からなるものであり、日本全国に配置されている。一方で、交換機４００は、３００個程度日本国内に配置されている。
【００１９】
各種処理ノード７００は、ＲＮＣ３００および交換機４００を通じて、多数の移動機１００に関する在圏情報を取得し、所定のタイミングで、または、管理センタ５００からの要求に応じて、収集された在圏情報を管理センタ５００に出力する。
【００２０】
管理センタ５００は、上述したとおり、社会センサユニット５０１、ペタマイニングユニット５０２、モバイルデモグラフィユニット５０３、および可視化ソリューションユニット５０４を含んで構成されており、各ユニットでは、移動機１００の位置情報に用いた統計処理を行う。
【００２１】
社会センサユニット５０１は、各交換機４００および各種処理ノード７００から、又は、オフラインで、移動機１００の位置情報等を含んだデータを収集するサーバ装置である。この社会センサユニット５０１は、交換機４００および各種処理ノード７００から定期的に出力されたデータを受信したり、または社会センサユニット５０１において予め定められたタイミングに従って交換機４００および各種処理ノード７００からデータを取得したりできるように構成されている。
【００２２】
ペタマイニングユニット５０２は、社会センサユニット５０１から受信したデータを所定のデータ形式に変換するサーバ装置である。例えば、ペタマイニングユニット５０２は、ユーザＩＤをキーにソーティング処理を行ったり、エリアごとにソーティング処理を行ったりする。
【００２３】
モバイルデモグラフィユニット５０３は、ペタマイニングユニット５０２において処理されたデータに対する集計処理、すなわち各項目のカウンティング処理を行うサーバ装置である。例えば、モバイルデモグラフィユニット５０３は、あるエリアに在圏するユーザ数をカウントしたり、また在圏分布を集計したりすることができる。
【００２４】
可視化ソリューションユニット５０４は、モバイルデモグラフィユニット５０３において集計処理されたデータを可視可能に処理するサーバ装置である。例えば、可視化ソリューションユニット５０４は、集計されたデータを地図上にマッピング処理することができる。この可視化ソリューションユニット５０４にて処理されたデータは、企業、官公庁または個人等に提供され、店舗開発、道路交通調査、災害対策、環境対策などに利用される。なお、このように統計処理された情報は、当然にプライバシーを侵害しないように個人等は特定されないように加工されている。
【００２５】
なお、社会センサユニット５０１、ペタマイニングユニット５０２、モバイルデモグラフィユニット５０３および可視化ソリューションユニット５０４はいずれも、前述したようにサーバ装置により構成され、図示は省略するが、通常の情報処理装置の基本構成（即ち、ＣＰＵ、ＲＡＭ、ＲＯＭ、キーボードやマウス等の入力デバイス、外部との通信を行う通信デバイス、情報を記憶する記憶デバイス、および、ディスプレイやプリンタ等の出力デバイス）を備えることは言うまでもない。
【００２６】
［情報分析装置の構成］
次に、本実施形態に係る情報分析装置について説明する。図２には情報分析装置６００の機能ブロック構成を示す。この図２に示すように、情報分析装置６００は、トラヒックデータ読み込み部６０１、基地局データ読み込み部６０２、データ結合部６０３、ボロノイ図作成部６０４、メッシュデータ読み込み部６０５、合成部６０６、メッシュ人口算出部６０７、ランドマークデータ読み込み部６０８、距離算出部６０９、対応優先度算出部６１０（対応優先度算出手段）、対応優先地域抽出部６１１（抽出手段）、および、対応優先地域表示部６１２（出力手段）を備えている。各部の機能は後述する。なお、本発明に係る距離算出手段は、距離算出部６０９、およびランドマークデータ読み込み部６０８に相当する。本発明に係る第２の人口概算値算出手段は、メッシュ人口算出部６０７、合成部６０６、およびメッシュデータ読み込み部６０５に相当する。本発明に係る第１の人口概算値算出手段は、トラヒックデータ読み込み部６０１、基地局データ読み込み部６０２、データ結合部６０３、およびボロノイ図作成部６０４に相当する。また、情報分析装置６００の周辺には、後述のトラヒックデータを記憶したトラヒックデータ記憶部６２０、後述の基地局データを記憶した基地局データ記憶部６３０、後述のメッシュデータを記憶したメッシュデータ記憶部６４０、および、後述のランドマークデータを記憶したランドマークデータ記憶部６５０が存在する。
【００２７】
図２の論理的な構成と図１のシステム構成との対応について概説する。ここでは、一例として、情報分析装置６００が、図１のモバイルデモグラフィユニット５０３および可視化ソリューションユニット５０４に相当し、トラヒックデータ記憶部６２０、基地局データ記憶部６３０、メッシュデータ記憶部６４０、およびランドマークデータ記憶部６５０が、図１のペタマイニングユニット５０２に相当する。
【００２８】
以下、図２の情報分析装置６００の各部および周辺のさまざまなデータ記憶部について説明する。トラヒックデータ記憶部６２０は、図１１（ａ）に示すように、セクタＩＤに対応付けられた、各セクタに在圏する移動機数およびタイムスタンプ（測定時刻）を含んだトラヒックデータを記憶している。この図１１（ａ）は１つのセクタについてのトラヒックデータを示しており、実際には各セクタについてのトラヒックデータが存在する。トラヒックデータ読み込み部６０１は、トラヒックデータ記憶部６２０から上記トラヒックデータを読み込み、予め定めた算出規則に基づいて、各セクタに在圏する移動機数や音声・パケットの発呼数などから各セクタの人口概算値を算出し、算出された各セクタの人口概算値をデータ結合部６０３へ出力する。人口概算値の算出については、例えば、在圏する移動機数を所定倍（例えば２倍）し、在圏エリア内の合計音声・パケット着信数に対する各セクタの音声・パケット着信数の割合を掛けることで人口概算値を算出してもよい。
【００２９】
基地局データ記憶部６３０は、図１１（ｂ）に示すように、セクタＩＤに対応付けられた、各セクタを制御する基地局の位置情報（例えば、緯度および経度の情報）などを含んだ基地局データを記憶している。この図１１（ｂ）は１つのセクタについての基地局データを示しており、実際には各セクタについての基地局データが存在する。基地局データ読み込み部６０２は、基地局データ記憶部６３０から上記基地局データを読み込み、該基地局データをデータ結合部６０３へ出力する。
【００３０】
データ結合部６０３は、トラヒックデータ読み込み部６０１から出力された各セクタの人口概算値の情報と、基地局データ読み込み部６０２から出力された各セクタに関する基地局データとを結合する。例えば、データ結合部６０３は、図１１（ｃ）に示すように、各セクタに関する基地局データの中に、当該セクタの人口概算値の情報を挿入することで、上記の結合を実行する。このような結合で得られたデータはボロノイ図作成部６０４へ出力される。ボロノイ図作成部６０４は、上記結合で得られたデータを基に、いわゆるボロノイ図を作成し、作成したボロノイ図データを合成部６０６へ出力する。
【００３１】
メッシュデータ記憶部６４０は、所定の区画分け規則に基づき予めメッシュ状に区画分けされた個々の区画（以下「メッシュ」という）に関する位置情報（ポリゴン座標の情報）を含んだメッシュデータ（図１２（ａ）参照）を記憶している。この図１２（ａ）は１つのメッシュについてのメッシュデータを示しており、実際には各メッシュについてのメッシュデータが存在する。本実施形態では、説明を簡易にするために、個々のメッシュの形状は四角形とする。但し、個々のメッシュの形状は六角形など他の形状であってもよいし、または町丁目境界のようなポリゴンデータであってもよい。メッシュデータ読み込み部６０５は、メッシュデータ記憶部６４０から上記メッシュデータを読み込み、該メッシュデータを合成部６０６および距離算出部６０９へ出力する。
【００３２】
合成部６０６は、ボロノイ図作成部６０４からのボロノイ図データに基づき再現されるボロノイ図（図６（ａ）参照）と、メッシュデータ読み込み部６０５からのメッシュデータに基づき再現される２次元的なメッシュ（図６（ｂ）参照）とを合成し、図６（ｃ）に示すような合成図を得る。得られた合成図データおよびメッシュデータ（図１２（ａ）参照）は、メッシュ人口算出部６０７へ出力される。
【００３３】
メッシュ人口算出部６０７は、後述するメッシュあたりの人口概算値算出処理によって、上記合成図データに基づいて、メッシュあたりの人口概算値を算出する。算出されたメッシュあたりの人口概算値の情報は、図１２（ｂ）に示すように当該メッシュについてのメッシュデータに挿入され、対応優先度算出部６１０へ出力される。
【００３４】
ランドマークデータ記憶部６５０は、図１１（ｄ）に示すランドマーク（本実施形態では避難所）に関する識別情報（ランドマークＩＤ）、位置情報（緯度・経度の情報）および名称情報を含んだランドマークデータを記憶している。この図１１（ｄ）は１つのランドマークについてのランドマークデータを示しており、実際には各ランドマークについてのランドマークデータが存在する。ランドマークデータ読み込み部６０８は、ランドマークデータ記憶部６５０から上記ランドマークデータを読み込み、該ランドマークデータを距離算出部６０９へ出力する。
【００３５】
距離算出部６０９は、後述する距離算出処理によって、メッシュデータ読み込み部６０５からのメッシュデータおよびランドマークデータ読み込み部６０８からのランドマークデータを基に、各メッシュについて、最も近いランドマーク（最近傍ランドマーク）を特定し、最近傍ランドマークとメッシュの中心座標との距離を算出する。各メッシュについて算出された距離および最近傍ランドマークの識別情報（最近傍ランドマークＩＤ）は、図１２（ｃ）に示すように当該メッシュについてのメッシュデータに挿入され、対応優先度算出部６１０へ出力される。
【００３６】
対応優先度算出部６１０は、メッシュごとの対応優先度として、距離算出部６０９により算出された最近傍ランドマークとの距離と、メッシュ人口算出部６０７により算出された人口概算値とを変数とする数式によって算出する。例えば、最近傍ランドマークとの距離と人口概算値の積を算出する。そして、対応優先度算出部６１０は、算出されたメッシュごとの対応優先度、図１２（ｂ）のメッシュデータおよび図１２（ｃ）のメッシュデータを統合して、図１２（ｄ）に示すメッシュデータ（即ち、メッシュＩＤ、ポリゴン座標、人口概算値、最近傍ランドマークＩＤ、最近傍ランドマークとの距離、および対応優先度を含んだメッシュデータ）を作成し、対応優先地域抽出部６１１へ出力する。
【００３７】
対応優先地域抽出部６１１は、図１２（ｄ）のメッシュデータを受け取り、上記メッシュごとの対応優先度が所定の閾値を超えているメッシュを対応優先地域として抽出する。そして、対応優先地域抽出部６１１は、図１２（ｅ）に示すように、対応優先地域として抽出されたメッシュについてのメッシュデータにおいて、予め規定された対応優先地域フラグを「１」にセットする。なお、同フラグはデフォルト値を「０」とする。各メッシュのメッシュデータは対応優先地域表示部６１２へ出力される。
【００３８】
対応優先地域表示部６１２は、各メッシュのメッシュデータ（図１２（ｅ））を受け取り、対応優先地域フラグが「１」にセットされているメッシュ（即ち、対応優先地域）を示す地図を表示出力する。その際、さらに、対応優先地域に関するメッシュデータ内の最近傍ランドマークＩＤをキーにして、最近傍ランドマークの位置情報をランドマークデータ読み込み部６０８から取得し、最近傍ランドマークの位置を上記の地図上に重ねて表示出力する（図１０参照）。
【００３９】
［情報分析装置における各種の処理］
次に、情報分析装置６００において実行される情報分析処理を、図３〜図５に基づいて説明する。
【００４０】
図３に示すように、情報分析装置６００においてトラヒックデータ読み込み部６０１が、トラヒックデータ記憶部６２０からトラヒックデータ（図１１（ａ））を読み込み（図３のステップＳ１）、予め定めた算出規則に基づいて、各セクタに在圏する移動機数や、音声・パケットの発呼数などから各セクタの人口概算値を算出する（ステップＳ２）。算出された各セクタの人口概算値はデータ結合部６０３へ出力される。ステップＳ２における人口概算値の算出については、例えば、在圏する移動機数を所定倍（例えば２倍）し、在圏エリア内の合計音声・パケット着信数に対する各セクタの音声・パケット着信数の割合を掛けることで人口概算値を算出してもよい。
【００４１】
一方、上記ステップＳ１、Ｓ２と並行して、基地局データ読み込み部６０２は、基地局データ記憶部６３０から基地局データ（図１１（ｂ））を読み込み（ステップＳ３）、該基地局データをデータ結合部６０３へ出力する。
【００４２】
そして、データ結合部６０３は、トラヒックデータ読み込み部６０１から出力された各セクタの人口概算値の情報と、基地局データ読み込み部６０２から出力された各セクタに関する基地局データとを結合する（ステップＳ４）。例えば、データ結合部６０３は、図１１（ｃ）に示すように、各セクタに関する基地局データの中に、当該セクタの人口概算値の情報を挿入することで、上記の結合を実行する。結合で得られたデータはボロノイ図作成部６０４へ出力される。
【００４３】
ボロノイ図作成部６０４は、上記結合で得られたデータを基に、いわゆるボロノイ図（図６（ａ）参照）を作成し（ステップＳ５）、作成したボロノイ図データを合成部６０６へ出力する。なお、ボロノイ図における「ボロノイ」は「セクタ」に相当する。以下、説明の便宜上、「セクタ」を「ボロノイ」と称する。
【００４４】
そして、メッシュデータ読み込み部６０５は、メッシュデータ記憶部６４０からメッシュデータ（図１２（ａ）参照）を読み込み（ステップＳ６）、該メッシュデータを合成部６０６および距離算出部６０９へ出力する。
【００４５】
次に、メッシュあたりの人口概算値算出処理（図４）と距離算出処理（図５）とが並行して実行される（ステップＳ７、Ｓ８）。
【００４６】
このうち図４のメッシュあたりの人口概算値算出処理では、合成部６０６が、ボロノイ図作成部６０４からのボロノイ図データに基づき再現されるボロノイ図（図６（ａ）参照）と、メッシュデータ読み込み部６０５からのメッシュデータに基づき再現される２次元的なメッシュ（図６（ｂ）参照）とを合成し、図６（ｃ）に示すような合成図を得る（ステップＳ７１）。得られた合成図データおよびメッシュデータ（図１２（ａ）参照）は、メッシュ人口算出部６０７へ出力される。
【００４７】
メッシュ人口算出部６０７は、まず、メッシュデータに合わせて各ボロノイを分割する（ステップＳ７２）。例えば、図７に示すように、メッシュ人口算出部６０７は、メッシュデータに合わせて、図６（ａ）のボロノイＡを４つの分割ボロノイA-1、A-2、A-3、A-4に分割する。次に、メッシュ人口算出部６０７は、各分割ボロノイの面積を算出し（ステップＳ７３）、そして、各分割ボロノイの面積比を算出する（ステップＳ７４）。例えば図７に示すように、分割ボロノイA-1、A-2、A-3、A-4の面積として、それぞれ１０ｍ2、５０ｍ2、１００ｍ2、４０ｍ2が算出されたとすると、分割ボロノイA-1、A-2、A-3、A-4の面積比（例えば百分率）として、５％、２５％、５０％、２０％が算出される。
【００４８】
次に、メッシュ人口算出部６０７は、各分割ボロノイの人口概算値を算出する（ステップＳ７５）。例えば図６（ａ）のボロノイＡの人口概算値が４０００人であったとすると、図８に示すように分割ボロノイA-2の人口概算値として、１０００人（即ち、４０００人×２５％）が算出される。同様に、ボロノイＢ、Ｃの人口概算値がそれぞれ２５００人、６２５０人であったとすると、ボロノイＢにおける面積比８０％の分割ボロノイB-1の人口概算値として、２０００人（即ち、２５００人×８０％）が算出され、ボロノイＣにおける面積比８０％の分割ボロノイC-4の人口概算値として、５０００人（即ち、６２５０人×８０％）が算出される。
【００４９】
さらに、メッシュ人口算出部６０７は、メッシュに内包された複数の分割ボロノイの人口概算値の総和を算出することで、当該メッシュの人口概算値を算出する（ステップＳ７６）。図８の例では、１つのメッシュに内包された分割ボロノイA-2、B-1、C-4の人口概算値の総和８０００人（即ち、１０００人＋２０００人＋５０００人）を算出し、この８０００人を当該メッシュの人口概算値とする。以上のようにして、メッシュあたりの人口概算値が算出される。なお、メッシュ人口算出部６０７は、算出されたメッシュあたりの人口概算値の情報を、図１２（ｂ）に示すようにメッシュデータに挿入し、対応優先度算出部６１０へ出力する。
【００５０】
一方、図５の距離算出処理では、距離算出部６０９が、メッシュデータ読み込み部６０５からのメッシュデータに含まれたポリゴン座標に基づいて、各メッシュの中心座標を算出する（ステップＳ８１）。即ち、図９（ａ）のメッシュＭ１〜Ｍ６の各々について中心座標（図９（ｂ）の中心Ｈ１〜Ｈ６の座標）を算出する。
【００５１】
次に、ランドマークデータ読み込み部６０８がランドマークデータ記憶部６５０からランドマークデータを読み込んで距離算出部６０９へ出力し、距離算出部６０９は、ランドマークデータを受け取る（ステップＳ８２）。これにより、距離算出部６０９は、例えば図９（ｃ）のランドマークＲ１、Ｒ２の位置情報を認識する。
【００５２】
そして、距離算出部６０９は、各メッシュについて、その中心座標から最も近いランドマーク（最近傍ランドマーク）を選択する（ステップＳ８３）。例えば図９（ｄ）に示すように、メッシュＭ１、Ｍ４については最近傍ランドマークとしてランドマークＲ２を選択し、メッシュＭ２、Ｍ３、Ｍ５、Ｍ６については最近傍ランドマークとしてランドマークＲ１を選択する。さらに、距離算出部６０９は、選択した最近傍ランドマークと中心座標との距離を算出する（ステップＳ８４）。例えば図９（ｄ）に示す距離Ｄ１〜Ｄ６を算出する。
【００５３】
以上により、各メッシュについて中心座標と最近傍ランドマークとの距離が算出される。なお、距離算出部６０９は、各メッシュについて算出された距離および選択された最近傍ランドマークの識別情報（最近傍ランドマークＩＤ）を、図１２（ｃ）に示すようにメッシュデータに挿入し、対応優先度算出部６１０へ出力する。
【００５４】
図３に戻り、次のステップＳ９では、対応優先度算出部６１０が、各メッシュについてステップＳ８で算出された中心座標と最近傍ランドマークとの距離と、ステップＳ７で算出された各メッシュの人口概算値とを変数とする数式によって算出し、その結果をメッシュごとの対応優先度とする。例えば、最近傍ランドマークとの距離と人口概算値の積をメッシュの対応優先度としてもよい。そして、対応優先度算出部６１０は、算出されたメッシュごとの対応優先度、図１２（ｂ）のメッシュデータおよび図１２（ｃ）のメッシュデータを統合して、図１２（ｄ）に示すメッシュデータ（即ち、メッシュＩＤ、ポリゴン座標、人口概算値、最近傍ランドマークＩＤ、最近傍ランドマークとの距離および対応優先度、を含んだメッシュデータ）を作成し、対応優先地域抽出部６１１へ出力する。
【００５５】
次に、対応優先地域抽出部６１１が、図１２（ｄ）のメッシュデータを受け取り、上記メッシュごとの対応優先度が所定の閾値を超えているメッシュを対応優先地域として抽出する（ステップＳ１０）。そして、対応優先地域抽出部６１１は、図１２（ｅ）に示すように、対応優先地域として抽出されたメッシュに関するメッシュデータにおいて、対応優先地域フラグを「１」にセットする。なお、同フラグはデフォルト値「０」である。そして、各メッシュのメッシュデータは対応優先地域表示部６１２へ出力される。
【００５６】
さらに、対応優先地域表示部６１２が、各メッシュのメッシュデータを受け取り、対応優先地域フラグが「１」にセットされているメッシュ（即ち、対応優先地域）を示す地図を表示出力する（ステップＳ１１）。その際、対応優先地域表示部６１２はさらに、上記メッシュ（対応優先地域）のメッシュデータ内のランドマークＩＤをキーにして、最近傍ランドマークの位置情報をランドマークデータ読み込み部６０８から取得し、最近傍ランドマークの位置を上記の地図上に重ねて表示出力する。その結果、図１０のように、斜線四角のメッシュで表された対応優先地域および黒い三角形で表された最近傍ランドマークの位置を示す地図が表示出力される。
【００５７】
以上説明した本実施形態によれば、ほぼリアルタイムに得ることが可能なセクタごとの在圏情報を基礎として、最近傍のランドマークへの移動が相対的に難しいセクタ（対応優先地域）を抽出し、少なくとも当該抽出された対応優先地域を示す地図を出力することができるため、所定のランドマークへ向けて移動する多数のユーザに関する移動状況を迅速且つ的確に分析することができる。また、図１０のように、対応優先地域に加え、当該対応優先地域の最近傍ランドマークの位置、を示す地図を出力するため、最近傍ランドマークの位置と対比しながら、多数のユーザに関する移動状況をより的確に分析することができる。
【００５８】
なお、メッシュごとに算出される対応優先度は、最近傍ランドマークとの距離および人口概算値に相関する値であればよく、上記距離と人口概算値との積以外に、例えば、距離の２乗と人口概算値との積、人口概算値の２乗と距離との積といった値であってもよい。
【００５９】
また、対象となるランドマークは、避難所に限定されるものではなく、医療機関であってもよい。
【００６０】
また、図３の情報分析処理は、情報分析装置６００によって所定時間ごとに実行されることが望ましい。その場合、抽出された対応優先地域および該対応優先地域の最近傍ランドマークの位置を示す地図が、所定時間ごとに表示出力されることとなり、多数のユーザに関する移動状況の時系列的な変化を把握することが可能となる。また、対応優先地域表示部６１２は、時系列的な各メッシュのメッシュデータ（図１２（ｅ））を記憶しておき、当該時系列的なメッシュデータに基づいて、対応優先地域および最近傍ランドマークの位置を示す地図を時系列的に連続して表示出力（例えばアニメーションによって表示出力）してもよい。この場合、多数のユーザに関する移動状況の時系列的な変化が、視覚的によりわかりやすくなる。
【符号の説明】
【００６１】
１０…通信システム、１００…移動機、２００…ＢＴＳ、３００…ＲＮＣ、４００…交換機、５００…管理センタ、５０１…社会センサユニット、５０２…ペタマイニングユニット、５０３…モバイルデモグラフィユニット、５０４…可視化ソリューションユニット、６００…情報分析装置、６０１…トラヒックデータ読み込み部、６０２…基地局データ読み込み部、６０３…データ結合部、６０４…ボロノイ図作成部、６０５…メッシュデータ読み込み部、６０６…合成部、６０７…メッシュ人口算出部、６０８…ランドマークデータ読み込み部、６０９…距離算出部、６１０…対応優先度算出部、６１１…対応優先地域抽出部、６１２…対応優先地域表示部、６２０…トラヒックデータ記憶部、６３０…基地局データ記憶部、６４０…メッシュデータ記憶部、６５０…ランドマークデータ記憶部、７００…各種処理ノード。
【図１】
2011086053.tif 000003
【図２】
2011086053.tif 000004
【図３】
2011086053.tif 000005
【図４】
2011086053.tif 000006
【図５】
2011086053.tif 000007
【図６】
2011086053.tif 000008
【図７】
2011086053.tif 000009
【図８】
2011086053.tif 000010
【図９】
2011086053.tif 000011
【図１０】
2011086053.tif 000012
【図１１】
2011086053.tif 000013
【図１２】
2011086053.tif 000014